(57)【特許請求の範囲】
【請求項１】
光源ユニットと、
前記光源ユニットに電源を供給する給電回路、及び前記給電回路が収納されるケースを有する電源装置と、
前記光源ユニット及び前記電源装置が収納される器具本体とを備え、
前記ケースは、前記光源ユニットが収納される収納部の少なくとも一部、及び前記光源ユニットを前記収納部に収納させた状態で前記光源ユニットを保持する保持部の少なくとも一部を有し、
前記ケースは第１ケースからなり、
外部電源の停電時に電源を供給する蓄電池、及び前記蓄電池が収納される第２ケースを有する非常用電源を備え、
前記収納部は、前記第１ケース及び前記第２ケースを互いに結合させた状態で前記第１ケース及び前記第２ケースに跨るように形成され、
前記保持部は、前記第１ケースに設けられた第１保持部と、前記第２ケースに設けられた第２保持部とで構成されることを特徴とする照明器具。
【請求項２】
前記光源ユニットは、発光素子と、前記発光素子で発生する熱を放熱する放熱部材とを有し、
前記保持部は、前記放熱部材に設けられた第１引掛部に引っ掛けられる第２引掛部を有していることを特徴とする請求項１記載の照明器具。
【請求項３】
前記ケースは、前記収納部への収納時において前記光源ユニットを前記収納部の所定位置へ案内する案内部の少なくとも一部を有していることを特徴とする請求項１又は２に記載の照明器具。
【発明の詳細な説明】
【技術分野】
【０００１】
本発明は、一般に照明器具に関し、より詳細には光源ユニットから光を照射する照明器具に関する。
【背景技術】
【０００２】
従来、天井に埋め込まれる天井埋込型の照明器具が提供されている（例えば特許文献１参照）。特許文献１に記載された照明器具は、下面が開口する円筒状に形成された器具本体と、器具本体の下面開口を塞ぐように器具本体に取り付けられる枠体と、器具本体の内部に収納される光源部、非常用電源及び点灯回路部とを備える。
【０００３】
非常用電源は、箱形に形成されたケースを具備し、ケースの下面には、一対の接続孔を有するランプソケットが一体に設けられている。光源部は、一対の接続ピンを有するハロゲン電球からなり、各接続ピンを対応する接続孔に差し込むことにより、ハロゲン電球が非常用電源に機械的且つ電気的に接続される。
【先行技術文献】
【特許文献】
【０００４】
【特許文献１】特開２０１４−１７１１６号公報
【発明の概要】
【発明が解決しようとする課題】
【０００５】
上述の特許文献１に示した照明器具では、光源部がハロゲン電球のみで構成されており、接続ピンと接続孔との間の接触圧がハロゲン電球の自重よりも大きいことから、上記接触圧によりハロゲン電球を保持することができる。
【０００６】
ところで、ハロゲン電球だけでなく、光学部材（例えばレンズ）や放熱部材などで光源部を構成した場合、上記接触圧のみでは光源部を保持することができず、より強固な保持構造が必要になる。一例として、ねじにより光源部を固定する方法が挙げられるが、この場合、光源部を着脱する際にねじを締めたり、緩めたりしなければならず、作業性がよくなかった。
【０００７】
本発明は上記問題点に鑑みて為されており、作業性の低下を抑えつつ、光源ユニットを強固に保持可能な照明器具を提供することを目的とする。
【課題を解決するための手段】
【０００８】
本発明の照明器具は、光源ユニットと、前記光源ユニットに電源を供給する給電回路、及び前記給電回路が収納されるケースを有する電源装置と、前記光源ユニット及び前記電源装置が収納される器具本体とを備え、前記ケースは、前記光源ユニットが収納される収納部の少なくとも一部、及び前記光源ユニットを前記収納部に収納させた状態で前記光源ユニットを保持する保持部の少なくとも一部を有し、前記ケースは第１ケースからなり、外部電源の停電時に電源を供給する蓄電池、及び前記蓄電池が収納される第２ケースを有する非常用電源を備え、前記収納部は、前記第１ケース及び前記第２ケースを互いに結合させた状態で前記第１ケース及び前記第２ケースに跨るように形成され、前記保持部は、前記第１ケースに設けられた第１保持部と、前記第２ケースに設けられた第２保持部とで構成されることを特徴とする。
【発明の効果】
【０００９】
本発明の構成によれば、作業性の低下を抑えつつ、光源ユニットを強固に保持可能な照明器具を提供することができるという効果がある。
【図面の簡単な説明】
【００１０】
【図１】本発明の実施形態に係る照明器具の分解斜視図である。
【図２】本発明の実施形態に係る照明器具に用いられる光源ユニットの分解斜視図である。
【図３】本発明の実施形態に係る照明器具において器具本体からカバーを取り外した状態の斜視図である。
【図４】図４Ａは本発明の実施形態に係る照明器具に用いられる取付部材の正面図、図４Ｂは背面図、図４Ｃ及び図４Ｄは側面図である。
【図５】本発明の実施形態に係る別の照明器具の分解斜視図である。
【図６】本発明の実施形態に係るさらに別の照明器具の分解斜視図である。
【発明を実施するための形態】
【００１１】
本発明の実施形態に係る照明器具１０について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１２】
また、以下の説明では特に断りがない限り、器具本体１の軸方向を上下方向（開口部１１１側が下側）と規定し、さらに光源ユニット２の放熱部材２４の長手方向を前後方向、放熱部材２４の幅方向（短手方向）を左右方向と規定して説明を行う。但し、上記の各方向は、照明器具１０の取付方向を規定するものではない。
【００１３】
本実施形態の照明器具１０は、例えば天井に埋め込まれる天井埋込型の非常灯であって、商用電源（外部電源）が停電になると光源ユニット２を点灯させる。この照明器具１０は、図１に示すように、器具本体１と、光源ユニット２と、電源装置３と、非常用電源４と、カバー５とを備える。
【００１４】
器具本体１は、例えば鋼板などの不燃材料からなり、上下方向を軸方向とする円筒状に形成された本体部１１を有する。この本体部１１の下部には、本体部１１の下面を開放することで形成された円形の開口部１１１が設けられており、開口部１１１の開口端縁には、外向きに突出する鍔部１２が全周に亘って設けられている。
【００１５】
また、本体部１１の側壁には、上下方向に沿ってＴ字状に開口する一対の切欠部１１２，１１２が、本体部１１の中心軸に対して対称な位置にそれぞれ設けられている。これらの切欠部１１２，１１２には、取付金具６，６が上下方向に移動自在に配置されており、これらの取付金具６，６と鍔部１２との間で天井板を挟み込むことで、器具本体１が天井に取り付けられる。
【００１６】
さらに、本体部１１の側壁には、カバー５に取り付けられた一対の取付ばね７，７がそれぞれ引っ掛けられる２個１組のばね受け部１１３，１１３が、本体部１１の一部を切り起こすことで形成されている。また、各組のばね受け部１１３，１１３は、本体部１１の中心軸に対して対称な位置に設けられている。
【００１７】
電源装置３は、図１に示すように、合成樹脂製の第１ケース３１（ケース）を有する。第１ケース３１の左側面（非常用電源４との対向面）における上端寄りの位置には、外部からの電源線（図示せず）が接続される端子台３２が取り付けられている。なお、端子台３２は、図示しない接続構造により電源装置３に機械的且つ電気的に接続され、電源線を介して入力される商用電源を電源装置３に出力する。
【００１８】
また、第１ケース３１の下面には、下向きに突出し且つ先端に引掛爪（図示せず）を有する矩形板状の引掛部３１１が設けられている。さらに、第１ケース３１の下面には、非常用電源４の充電状態を点検するための点検スイッチ３３が設けられている。また、第１ケース３１の下面において点検スイッチ３３の近傍には、上下方向に長い筒体３４が設けられており、この筒体３４の内部には、非常用電源４の充電状態を表示するモニタランプ（図示せず）が配置されている。
【００１９】
第１ケース３１の内部には、商用電源の正常時に非常用電源４を充電する充電回路（図示せず）と、商用電源が停電になると非常用電源４から出力される電源を光源ユニット２に供給する給電回路（図示せず）とが実装された基板（図示せず）が収納されている。また、この基板には、光源ユニット２のコネクタ部２３２内に収納された第１接続端子２６（図２参照）に接続される第２接続端子（図示せず）と、点検スイッチ３３と、上記モニタランプとが実装されている。
【００２０】
非常用電源４は、図１に示すように、合成樹脂製の第２ケース４１を有し、第２ケース４１の内部には複数の蓄電池（図示せず）が収納されている。また、第２ケース４１の下面には、下向きに突出し且つ先端に引掛爪４１１１を有する矩形板状の引掛部４１１が設けられている。
【００２１】
ここで、電源装置３と非常用電源４とを組み付けた状態では、図３に示すように、光源ユニット２を収納するための収納部１００が下面中央に形成される。つまり、本実施形態では、第１ケース３１及び第２ケース４１に跨るように収納部１００が形成される。
【００２２】
また、収納部１００の開口端縁には、電源装置３の第１ケース３１から後方（収納部１００側）に突出する矩形のリブ３１２と、非常用電源４の第２ケース４１から前方（収納部１００側）に突出する矩形のリブ４１２とが設けられている。これらのリブ３１２，４１２は、左右方向における間隔が放熱部材２４の幅寸法と略同じ寸法に設定されている。
【００２３】
したがって、光源ユニット２を収納部１００に収納する際には、リブ３１２，４１２によって左右方向への移動が規制された状態で、収納部１００に対して上下方向に真っ直ぐ収納することができる。その結果、電源装置３の第１ケース３１内に配置された上述の第２接続端子と、光源ユニット２のコネクタ部２３２の第１接続端子２６との位置ずれが起こりにくくなり、第１接続端子２６と第２接続端子とを確実に接続することができる。ここに、本実施形態では、リブ３１２，４１２により案内部が構成されている。
【００２４】
カバー５は、例えば鋼板などの不燃材料からなり、円板状に形成された本体部５１を有し、本体部５１の中央には円形の開口部５１１が設けられている。そして、照明器具１０を組み立てた状態では、光源ユニット２のレンズ２２が開口部５１１を臨むように配置され、光源ユニット２からの光が開口部５１１を通して外部に照射される。
【００２５】
また、本体部５１において開口部５１１の近傍には、楕円形状の開口部５１２が設けられている。そして、照明器具１０を組み立てた状態では、光源ユニット２の点検スイッチ３３及び筒体３４が開口部５１２を臨むように配置され、作業者は、開口部５１２を通して点検スイッチ３３を操作し、上記モニタランプを確認する。
【００２６】
光源ユニット２は、図２に示すように、基板２１と、レンズ２２と、取付部材２３と、放熱部材２４と、放熱シート２５とを備える。
【００２７】
基板２１は矩形板状に形成され、基板２１の下面には円形のＬＥＤチップ２１０（発光素子）が実装されている。この基板２１は、取付部材２３のベース部２３１の中央に設けられた開口部２３１１を通してＬＥＤチップ２１０を下側に露出させた状態で、ベース部２３１の上面に載せられる。
【００２８】
レンズ２２は、例えば透明なガラスからなり、上下方向を軸方向とする円柱状に形成された本体部２２１を有する。本体部２２１の上端縁には、外向きに突出する鍔部２２２が全周に亘って設けられている。また、本体部２２１の下面（出射面）は、外縁部から中心部に近づくほど上向きに凹むようなすり鉢状に形成されている。このレンズ２２は、基板２１のＬＥＤチップ２１０を覆うようにして基板２１の下側に配置され、ＬＥＤチップ２１０から放射される光の配光を制御する。
【００２９】
取付部材２３は、例えば合成樹脂成型品であって、図４Ａ〜図４Ｄに示すように、上下方向（図４Ａ中の紙面に垂直な方向）を厚み方向とする板状に形成されたベース部２３１を有する。ベース部２３１の右端縁には、上向きに突出する角筒状のコネクタ部２３２が一体に設けられている。このコネクタ部２３２は、第１接続端子２６，２６がそれぞれ収納される２つの収納部２３２２，２３２２を有している。
【００３０】
また、ベース部２３１の中央には、上下方向（ベース部２３１の厚み方向）に貫通する矩形の開口部２３１１が設けられている。さらに、ベース部２３１の下面には、Ｕ字状に形成された一対の溝２３１２，２３１３が、開口部２３１１とコネクタ部２３２の各収納部２３２２との間を繋ぐように設けられている。
【００３１】
また、ベース部２３１の前後方向（図４Ａ中の左右方向）における両端縁には、側方に突出し且つ先端が下向きに突出するＬ字状の固定部２３１５，２３１７がそれぞれ設けられている。固定部２３１５の先端には、内向き（開口部２３１１側）に突出する三角形状の固定爪２３１５ａが設けられ、固定部２３１７の先端には、内向き（開口部２３１１側）に突出する三角形状の固定爪２３１７ａが設けられている。
【００３２】
さらに、ベース部２３１の左右方向（図４Ａ中の上下方向）における両端縁には、側方に突出し且つ先端が下向きに突出するＬ字状の固定部２３１４，２３１６がそれぞれ設けられている。固定部２３１４の先端には、内向き（開口部２３１１側）に突出する三角形状の固定爪２３１４ａが設けられ、固定部２３１６の先端には、内向き（開口部２３１１側）に突出する三角形状の固定爪２３１６ａが設けられている。
【００３３】
ここで、固定部２３１４〜２３１７をベース部２３１の下面から直接立ち上げるのではなく、本実施形態のようにＬ字状に湾曲させることで、固定部２３１４〜２３１７を撓みやすくすることができる。
【００３４】
また、ベース部２３１の前後方向における開口部２３１１と固定部２３１５との間には、ベース部２３１の下面から下向きに突出するリブ２３２４が設けられている。さらに、ベース部２３１の前後方向における開口部２３１１と固定部２３１７との間には、ベース部２３１の下面から下向きに突出するリブ２３２６が設けられている。
【００３５】
また、ベース部２３１の左右方向における開口部２３１１と固定部２３１４との間には、ベース部２３１の下面から下向きに突出するリブ２３２３が設けられている。さらに、ベース部２３１の左右方向における開口部２３１１と固定部２３１６との間には、ベース部２３１の下面から下向きに突出するリブ２３２５が設けられている。
【００３６】
また、ベース部２３１の周方向における固定部２３１４と固定部２３１５との間には、ベース部２３１の下面から下向きに突出し且つ弧状に湾曲するガイド部２３１９が設けられている。さらに、ベース部２３１の周方向における固定部２３１５と固定部２３１６との間には、ベース部２３１の下面から下向きに突出し且つ弧状に湾曲するガイド部２３２０が設けられている。
【００３７】
また、ベース部２３１の周方向における固定部２３１６と固定部２３１７との間には、ベース部２３１の下面から下向きに突出し且つ弧状に湾曲するガイド部２３２１が設けられている。さらに、ベース部２３１の周方向における固定部２３１７と固定部２３１４との間には、ベース部２３１の下面から下向きに突出し且つ弧状に湾曲するガイド部２３１８が設けられている。
【００３８】
これらのガイド部２３１８〜２３２１は、取付部材２３のベース部２３１にレンズ２２を取り付ける際のガイドとして機能する。また、各ガイド部２３１８〜２３２１の先端には、先端に近づくほど厚みが薄くなるように傾斜するテーパがつけられており、このテーパによってレンズ２２をガイド部２３１８〜２３２１に誘いやすくなっている。
【００３９】
また、ベース部２３１の上面には、図４Ｂに示すように、開口部２３１１の周りを取り囲むように溝２３２８が形成されており、光源ユニット２を組み立てた状態では、基板２１の上面に密着した状態で放熱シート２５が溝２３２８内に収納される。
【００４０】
放熱部材２４は、例えば放熱性の高いアルミニウムからなり、前後方向に長い矩形板状に形成された底壁部２４１と、底壁部２４１の前後方向における両端から下向きに突出する一対の側壁部２４２，２４４とを有する。一方の側壁部２４２には、非常用電源４の第２ケース４１に設けられた引掛部４１１の引掛爪４１１１が引っ掛けられる矩形の引掛孔２４２１が設けられている。また、他方の側壁部２４４には、電源装置３の第１ケース３１に設けられた引掛部３１１の引掛爪（図示せず）が引っ掛けられる矩形の引掛孔（図示せず）が設けられている。
【００４１】
さらに、一方の側壁部２４２の下端には、外向き且つ底壁部２４１と平行に延出する延出部２４３が一体に設けられ、他方の側壁部２４４の下端には、外向き且つ底壁部２４１と平行に延出する延出部２４５が一体に設けられている。
【００４２】
次に、光源ユニット２の組立手順について説明する。
【００４３】
まず最初に、作業者は、基板２１の下面に実装されたＬＥＤチップ２１０を取付部材２３のベース部２３１の開口部２３１１を通して下側に露出させた状態で、基板２１をベース部２３１の上面に載せる。さらに、作業者は、導体２７，２７の一端に接続された第１接続端子２６，２６をそれぞれコネクタ部２３２の収納部２３２２，２３２２に収納した後、導体２７，２７の他端をそれぞれ基板２１の電極２１１，２１１に半田接続する。このとき、導体２７，２７は、ベース部２３１に形成された溝２３１２，２３１３にそれぞれ配置される。
【００４４】
続けて、作業者は、ベース部２３１に載せた基板２１の上面に放熱シート２５を載せた後、ベース部２３１の上面と放熱部材２４の底壁部２４１の下面とが密着するようにして取付部材２３を放熱部材２４に取り付ける。
【００４５】
このとき、取付部材２３のベース部２３１に設けた貫通孔２３２７，２３２７にそれぞれ通した取付ねじ（図示せず）を、放熱部材２４の底壁部２４１に設けたねじ孔２４１１，２４１１にそれぞれねじ込むことで、取付部材２３が放熱部材２４に取り付けられる。またこのとき、コネクタ部２３２は、底壁部２４１に設けられた切欠部２４１２を通して上側に突出する。さらにこのとき、放熱シート２５は、放熱部材２４の底壁部２４１に密着しており、基板２１のＬＥＤチップ２１０で発生した熱が放熱シート２５を介して放熱部材２４に伝えられる。
【００４６】
そして最後に、作業者は、レンズ２２の軸方向が上下方向となり且つ鍔部２２２側が上側となるように向きを調整した状態でレンズ２２を取付部材２３に押し付け、レンズ２２を取付部材２３に取り付ける。これにより、光源ユニット２の組み立てが完了する。
【００４７】
このとき、レンズ２２を取付部材２３に押し付けることで、レンズ２２の鍔部２２２により固定部２３１４〜２３１７の固定爪２３１４ａ〜２３１７ａが外向きに押され、固定部２３１４〜２３１７が外向きに撓められる。そして、レンズ２２を取付部材２３にさらに押し付けることで、レンズ２２の鍔部２２２が固定爪２３１４ａ〜２３１７ａを乗り越え、レンズ２２の上面（入射面）がリブ２３２３〜２３２６に接触する。
【００４８】
そして、固定部２３１４〜２３１７が弾性力によって元の位置に復帰することで、固定部２３１４〜２３１７の固定爪２３１４ａ〜２３１７ａとリブ２３２３〜２３２６との間に鍔部２２２が挟まれ、レンズ２２が取付部材２３に取り付けられる。
【００４９】
レンズ２２が取付部材２３に取り付けられた状態では、レンズ２２の上面がリブ２３２３〜２３２６の下面に接触している。また、ベース部２３１の周方向においてリブ２３２３〜２３２６がない部分では、レンズ２２の鍔部２２２がガイド部２３１８〜２３２１に接触している。その結果、レンズ２２の上面とベース部２３１の下面との間の隙間に塵埃が進入するのを抑えることができる。
【００５０】
次に、照明器具１０の施工手順について説明する。
【００５１】
まず最初に、作業者は、電源装置３が右側、非常用電源４が左側となるように配置した後、図示しない接続構造により電源装置３と非常用電源４とを機械的且つ電気的に接続する。そして、作業者は、機械的且つ電気的に接続された電源装置３及び非常用電源４を器具本体１の内部に収納する。
【００５２】
電源装置３と非常用電源４とを組み付けた状態では、下面中央に収納部１００が形成され、作業者は、レンズ２２が下側となる向きで光源ユニット２を収納部１００に収納する。このとき、光源ユニット２は、リブ３１２，４１２によって左右方向への移動が規制された状態で収納部１００に収納される。
【００５３】
そして、作業者が光源ユニット２を収納部１００の所定位置まで押し込むと、光源ユニット２が電源装置３及び非常用電源４に保持される。このとき、放熱部材２４の側壁部２４２の引掛孔２４２１に第２ケース４１の引掛部４１１の引掛爪４１１１が引っ掛けられ、且つ、側壁部２４４の引掛孔（図示せず）に第１ケース３１の引掛部３１１の引掛爪（図示せず）が引っ掛けられる。
【００５４】
そして最後に、作業者が、器具本体１の開口部１１１を塞ぐようにカバー５を器具本体１に取り付けると、照明器具１０の施工が完了する。このとき、カバー５に取り付けられた各取付ばね７が、器具本体１の対応するばね受け部１１３，１１３に引っ掛けられ、カバー５が器具本体１に保持される。
【００５５】
ここに、本実施形態では、第１ケース３１に設けられた引掛部３１１と第２ケース４１に設けられた引掛部４１１とで保持部が構成されている。また、本実施形態では、引掛部３１１により第１保持部が構成され、引掛部４１１により第２保持部が構成されている。
【００５６】
さらに、本実施形態では、放熱部材２４の側壁部２４２に設けた引掛孔２４２１と、側壁部２４４に設けた引掛孔（図示せず）により第１引掛部が構成されている。また、本実施形態では、第１ケース３１に設けられた引掛部３１１の引掛爪（図示せず）と、第２ケース４１に設けられた引掛部４１１の引掛爪４１１１により第２引掛部が構成されている。
【００５７】
而して、本実施形態によれば、電源装置３及び非常用電源４側に設けられた引掛爪を、光源ユニット２側に設けられた引掛孔に引っ掛けるだけで光源ユニット２を電源装置３及び非常用電源４に取り付けることができ、ねじ固定する場合に比べて作業性が向上する。また、従来例のように接続ピンと接続孔との接触圧のみで光源部を保持させる場合に比べて、光源ユニット２を強固に保持させることができる。
【００５８】
図５は本実施形態の別の照明器具１０の分解斜視図である。この照明器具１０は、器具本体１と、光源ユニット２と、電源装置３と、非常用電源４と、カバー５とを備える。なお、器具本体１、電源装置３、非常用電源４及びカバー５については、図１で説明した照明器具１０と同様であるから、ここでは説明を省略する。
【００５９】
光源ユニット２は、基板２１（図２参照）と、レンズ２２と、取付部材２３と、放熱部材２４と、放熱シート２５（図２参照）とを備える。ここに、本例の光源ユニット２は、図２で説明した光源ユニット２よりも光出力の大きいＬＥＤチップ２１０（図２参照）を採用しており、ＬＥＤチップ２１０で発生する熱も大きくなる。従って、本例では、放熱部材２４による放熱効率を向上させるために、放熱部材２４の表面積を大きくしている。以下、放熱部材２４について具体的に説明する。
【００６０】
放熱部材２４は、図５に示すように、矩形板状の底壁部２４１と、底壁部２４１の端部より底壁部２４１と直交する方向（下向き）に突出する４つの側壁部２４２，２４４，２４６，２４７とで下面が開口する箱形に形成されている。側壁部２４２の下端には、外向き且つ底壁部２４１と平行に延出する延出部２４３が一体に設けられ、側壁部２４４の下端には、外向き且つ底壁部２４１と平行に延出する延出部２４５が一体に設けられている。
【００６１】
また、側壁部２４２には、非常用電源４の第２ケース４１に設けられた引掛部４１１の引掛爪４１１１が引っ掛けられる矩形の引掛孔（図示せず）が設けられている。さらに、側壁部２４４には、電源装置３の第１ケース３１に設けられた引掛部３１１の引掛爪（図示せず）に引っ掛けられる矩形の引掛孔２４４１が設けられている。
【００６２】
本例においても、電源装置３及び非常用電源４側に設けられた引掛爪を、光源ユニット２側に設けられた引掛孔に引っ掛けるだけで光源ユニット２を電源装置３及び非常用電源４に取り付けることができ、ねじ固定する場合に比べて作業性が向上する。また、従来例のように接続ピンと接続孔との接触圧のみで光源部を保持させる場合に比べて、光源ユニット２を強固に保持させることができる。
【００６３】
図６は本実施形態のさらに別の照明器具１０の分解斜視図である。上述の図１及び図５で説明した照明器具１０のように天井埋込型の照明器具だけでなく、本例の照明器具１０のように天井直付け型の照明器具であってもよい。この照明器具１０は、器具本体８と、光源ユニット２と、電源装置３と、非常用電源４と、カバー９とを備える。なお、光源ユニット２、電源装置３及び非常用電源４については、図１で説明した照明器具１０と同様であるから、ここでは説明を省略する。
【００６４】
器具本体８は、例えば鋼板などの不燃材料からなり、上下方向を軸方向とする扁平な円筒状に形成された本体部８１を有する。本体部８１の底壁部には、矩形の開口部８１１と、２個１組の貫通孔８１２，８１２と、ダルマ孔８１３とが設けられている。開口部８１１には、天井裏に先行配線された電源線（図示せず）が通される。また、２個１組の貫通孔８１２，８１２及びダルマ孔８１３には、天井板から露出する吊ボルト（図示せず）がそれぞれ通され、器具本体８を天井板に固定する。
【００６５】
カバー９は、上面が開口し且つ上下方向を軸方向とする円筒状に形成された本体部９１を有し、本体部９１の底壁部には、円形の開口部９１１と楕円形状の開口部９１２とが設けられている。
【００６６】
次に、この照明器具１０の施工手順について説明する。
【００６７】
まず最初に、作業者は、器具本体８の開口部８１１を通して上記電源線を下向きに引き出した後、天井板から露出する吊ボルトを貫通孔８１２，ダルマ孔８１３に通して器具本体８を天井板に固定する。続けて、作業者は、電源装置３と非常用電源４とを組み付けた後、適宜の取付方法により電源装置３及び非常用電源４を器具本体８に取り付ける。
【００６８】
さらに、作業者は、電源装置３と非常用電源４とを組み付けることで形成される収納部１００に光源ユニット２を収納する。このとき、放熱部材２４の側壁部２４４に設けられた引掛孔２４４１に電源装置３の第１ケース３１に設けられた引掛部３１１の引掛爪３１１１が引っ掛けられる。またこのとき、放熱部材２４の側壁部２４２に設けられた引掛孔（図示せず）に非常用電源４の第２ケース４１に設けられた引掛部４１１の引掛爪４１１１が引っ掛けられる。その結果、光源ユニット２が電源装置３及び非常用電源４に保持される。
【００６９】
そして最後に、作業者が、光源ユニット２、電源装置３及び非常用電源４を覆うようにカバー９を器具本体８に取り付けることで、照明器具１０の施工が完了する。
【００７０】
本例においても、電源装置３及び非常用電源４側に設けられた引掛爪を、光源ユニット２側に設けられた引掛孔に引っ掛けるだけで光源ユニット２を電源装置３及び非常用電源４に取り付けることができ、ねじ固定する場合に比べて作業性が向上する。また、従来例のように接続ピンと接続孔との接触圧のみで光源部を保持させる場合に比べて、光源ユニット２を強固に保持させることができる。
【００７１】
なお、本実施形態では、第１ケース３１及び第２ケース４１に跨るように収納部１００を形成したが、第１ケース３１のみに収納部を形成してもよく、本実施形態に限定されない。また、本実施形態では、引掛部３１１を第１ケース３１に設け、且つ引掛部４１１を第２ケース４１に設けたが、少なくとも第１ケース３１に引掛部を設けてあればよく、本実施形態に限定されない。
【００７２】
さらに、本実施形態では、発光素子としてＬＥＤチップ２１０を例に説明したが、発光素子はＬＥＤチップ２１０に限らず、例えば有機ＥＬやレーザ・ダイオードなどであってもよい。
【００７３】
以上説明したように、本実施形態の照明器具１０は、器具本体１と、光源ユニット２と、電源装置３とを備える。電源装置３は、光源ユニット２に電源を供給する給電回路、及び前記給電回路が収納されるケース（第１ケース３１）を有する。器具本体１は、光源ユニット２及び電源装置３が収納される。前記ケースは、光源ユニット２が収納される収納部１００の少なくとも一部、及び光源ユニット２を収納部１００に収納させた状態で光源ユニット２を保持する保持部（引掛部３１１，４１１）の少なくとも一部を有している。
【００７４】
また、本実施形態の照明器具１０のように、外部電源の停電時に電源を供給する蓄電池、及び前記蓄電池が収納される第２ケース４１を有する非常用電源４を備えるのが好ましい。前記ケースは第１ケース３１からなり、収納部１００は、第１ケース３１及び第２ケース４１を互いに結合させた状態で第１ケース３１及び第２ケース４１に跨るように形成される。
【００７５】
また、本実施形態の照明器具１０のように、前記保持部は、第１ケース３１に設けられた第１保持部（引掛部３１１）と、第２ケース４１に設けられた第２保持部（引掛部４１１）とで構成されるのが好ましい。
【００７６】
また、本実施形態の照明器具１０のように、光源ユニット２は、ＬＥＤチップ２１０（発光素子）と、ＬＥＤチップ２１０で発生する熱を放熱する放熱部材２４とを有しているのが好ましい。前記保持部は、放熱部材２４に設けられた第１引掛部（引掛孔２４２１，２４４１）に引っ掛けられる第２引掛部（引掛爪３１１１，４１１１）を有している。
【００７７】
また、本実施形態の照明器具１０のように、前記ケースは、収納部１００への収納時において光源ユニット２を収納部１００の所定位置へ案内する案内部（リブ３１２，４１２）の少なくとも一部を有しているのが好ましい。
【符号の説明】
【００７８】
１  器具本体
２  光源ユニット
３  電源装置
１０  照明器具
３１  第１ケース（ケース）
１００  収納部
３１１  引掛部（保持部）
【図１】
0006384783.tif 000002
【図２】
0006384783.tif 000003
【図３】
0006384783.tif 000004
【図４】
0006384783.tif 000005
【図５】
0006384783.tif 000006
【図６】
0006384783.tif 000007